(57)【特許請求の範囲】
【請求項１】
パネルを構成するボードの各辺部を間に納めて当該各辺部に沿ってそれぞれ取り付けられる複数の枠構成体と、このボードのコーナにおいて隣り合う辺部に取り付けられる枠構成体を相互に連結させる連結体とを備える枠体であって、
前記複数の枠構成体がそれぞれ、底板部の一面側に前記ボードの辺部を間に納める一対の立ち上がり板部を備えた構成してあると共に、
前記連結体が、前記ボードのコーナに沿って折り曲げられていると共に、折り曲げ部を挟んだ一方側に当該ボードの隣り合う辺部の一方に取り付けられる枠構成体の底板部に透設された皿ビスの軸部の差し入れ孔から差し入れられた当該軸部のねじ込まれるねじ孔を有し、かつ、当該折り曲げ部を挟んだ他方側に当該ボードの隣り合う辺部の他方に取り付けられる枠構成体の底板部に透設された皿ビスの軸部の差し入れ孔から差し入れられた当該軸部のねじ込まれるねじ孔を有しており、
しかも、前記差し入れ孔が前記枠構成体の底板部の内面側に当該枠構成体の長さ方向に沿って形成された溝に連通するように形成されており、前記差し入れ孔を通じて前記ねじ孔に軸部をねじ込まれた皿ビスの頭部側面が当該差し入れ孔の内面に突き当った当該皿ビスの締め込み位置において、この溝に当該皿ビスの軸部の突き出し基部が納まる構成としてあることを特徴とするパネル用枠体。
【発明の詳細な説明】
【０００１】
【発明の属する技術分野】
この発明は、写真やポスターなどをディスプレイするために用いられるパネルを構成するボードの辺部に取り付けられて当該ボードと共に当該パネルを構成する枠体の改良に関する。
【０００２】
【従来の技術】
写真やポスターなどをディスプレイするために用いられるパネルＰにあっては、写真などのディスプレイ対象物Ｄが貼り込むなどされるボードＧの辺部Ｇａに沿って当該ボードＧを縁取るように取り付けられる枠体１００を備えたものがある。（図６）
【０００３】
図６に示されるように、かかる枠体１００は、前記ボードＧの一辺部Ｇａに亙る長さに構成された複数の枠構成体１１０、１１０…を当該ボードＧのコーナＧｂにおいて隣り合う辺部Ｇａに取り付けられる枠構成体１１０、１１０と相互に連結させることにより構成されている。それぞれの枠構成体１１０は底板部１１１と一対の立ち上がり板部１１２、１１２とを備えた断面コ字状に構成されており、かかる一対の立ち上がり板部１１２、１１２間にボードＧの辺部Ｇａを入れ込んで当該ボードＧの辺部Ｇａを縁取るように構成されている。また、隣り合う枠構成体１１０、１１０相互の前記連結は、前記ボードＧのコーナＧｂに沿うように折り曲げられた板状をなす連結体１２０の一端側に一方の枠構成体１１０をビス止めすると共に、当該連結体１２０の他端側に他方の枠構成体１１０をビス止めしてなされている。具体的には、前記連結体１２０の折り曲げ部１２１を挟んだ一方側と他方側とにそれぞれビスＢの軸部Ｂａのねじ付けられるねじ孔１２２を設けると共に、前記枠構成体１１０の端部にビスＢの軸部Ｂａを外側から入れ込める差し入れ孔１１３を設け、一方の枠構成体１１０の底板部１１１の内側に位置づけられた前記連結体１２０の一方側に設けたねじ孔１２２に当該一方の枠構成体１１０に設けた前記差し入れ孔１１３を通じてビスＢの軸部Ｂａをねじ付けると共に、他方の枠構成体１１０の底板部１１１の内側に位置づけられた前記連結体１２０の他方側に設けたねじ孔１２２に当該他方の枠構成体１１０に設けた前記差し入れ孔１１３を通じてビスＢの軸部Ｂａをねじ付け、このねじ付けによって当該連結体１２０の屈曲外面を枠構成体１１０の底板部１１１内面に密着させるようにしてかかる枠構成体１１０の連結がなされている。（図７）
【０００４】
【発明が解決しようとする課題】
しかるに、かかる枠構成体１１０と連結体１２０とのビス止めに当たっては、パネルＰの外観性を確保するなどの観点から、前記枠構成体１１０の底板部１１１の外側にビスＢの頭部Ｂｂが目立った状態で突き出されないように、皿ビスＢ’（皿頭をもった小ねじ）を使用することが望まれる。
【０００５】
ここで、この皿ビスＢ’を使用する場合、前記枠構成体１１０の底板部１１１に当該皿ビスＢ’の頭部Ｂｂ側面の傾斜に倣ったすり鉢状をなす孔壁を持った差し入れ孔１１３が形成されることになるが、実際は、寸法誤差などの問題から皿ビスＢ’を締め込み切った状態において前記底板部１１１の内面側にある差し入れ孔１１３の穴縁から当該皿ビスＢ’の軸部Ｂａの突き出し基部Ｂｃが若干突き出してしまい、この突き出し分の隙間Ｓが前記連結体１２０の屈曲外側の面と当該底板部１１１の内面間に形成されてしまうことが少なくなかった。（図９）また、こうした隙間Ｓが形成されてしまうと、かかる連結体１２０により連結させ合わされる隣り合う枠構成体１１０、１１０の接合され合わされる端面間に隙間Ｓ’が生じてしまうこととなる。（図１０）
【０００６】
こうしたことから、従来は前記連結体１２０の屈曲外側にある前記ねじ孔１２２の孔口を広げさせる加工を別途施し、この広げられた孔口１２３に前記皿ビスＢ’を締め込み切った状態において当該皿ビスＢ’の軸部Ｂａの突き出し基部Ｂｃが納まるようにして、この状態において当該連結体１２０の屈曲外側にある面と前記底板部１１１の内面との間に前記隙間Ｓが生じないようにしていた。（図８）
【０００７】
しかるに、枠構成体１１０の一対の立ち上がり板部１１２、１１２間に入れ込まれるボードＧの厚さ寸法が小さくなればなるほど、かかる一対の立ち上がり板部１１２、１１２間の間隔は狭められることとなり、したがって、前記連結体１２０の板幅もこれに対応して狭めざるを得ないこととなるが、連結体１２０に設けた前記ねじ孔１２２の大きさは皿ビスＢ’が規格化されていることから一定となるため、この連結体１２０に設けた当該ねじ孔１２２の孔口を前記のように広げる加工を施すことには連結体１２０の強度を確保するなどの観点から自ずから限界がある。
【０００８】
こうしたことから、前記枠構成体１１０の一対の立ち上がり板部１１２、１１２間の間隔が一定以上狭い場合、つまり、かかる枠構成体１１０が取り付けられるボードＧの厚さ寸法が比較的小さい場合、やむなく丸ビスＢ”（丸頭をもった小ねじ）を用いて当該枠構成体１１０と連結体１２０とのビス止めをなしていた。（図１１）
【０００９】
そこでこの発明は、パネルを構成するボードの厚さ寸法が小さくなっても、このボードの辺部に沿って当該ボードの辺部を一対の立ち上がり板部間に納めて当該辺部に取り付けられる当該パネルの枠体を構成する隣り合う枠構成体相互を、当該隣り合う枠構成体の端部間に亘る連結体を介して、当該連結体に設けられたねじ孔にねじ付けられる軸部を持ち当該枠構成体に設けた差し入れ孔を通じて当該軸部を当該ねじ孔にねじ付ける皿ビスをもって支障無く連結させ合わせることができるようにすることを主たる目的とする。
【００１０】
【課題を解決するための手段】
前記目的を達成するために、請求項１記載の発明にあっては、パネル用枠体が以下の（１）〜（４）の構成を備えたものとした。
（１）パネルを構成するボードの各辺部を間に納めて当該各辺部に沿ってそれぞれ取り付けられる複数の枠構成体と、このボードのコーナにおいて隣り合う辺部に取り付けられる枠構成体を相互に連結させる連結体とを備える枠体であって、（２）前記複数の枠構成体がそれぞれ、底板部の一面側に前記ボードの辺部を間に納める一対の立ち上がり板部を備えた構成してあると共に、
（３）前記連結体が、前記ボードのコーナに沿って折り曲げられていると共に、折り曲げ部を挟んだ一方側に当該ボードの隣り合う辺部の一方に取り付けられる枠構成体の底板部に透設された皿ビスの軸部の差し入れ孔から差し入れられた当該軸部のねじ込まれるねじ孔を有し、かつ、当該折り曲げ部を挟んだ他方側に当該ボードの隣り合う辺部の他方に取り付けられる枠構成体の底板部に透設された皿ビスの軸部の差し入れ孔から差し入れられた当該軸部のねじ込まれるねじ孔を有しており、
（４）しかも、前記差し入れ孔が前記枠構成体の底板部の内面側に当該枠構成体の長さ方向に沿って形成された溝に連通するように形成されており、前記差し入れ孔を通じて前記ねじ孔に軸部をねじ込まれた皿ビスの頭部側面が当該差し入れ孔の内面に突き当った当該皿ビスの締め込み位置において、この溝に当該皿ビスの軸部の突き出し基部が納まる構成としてあるものとした。
【００１１】
かかる構成によれば、前記ボードのコーナを挟んだ当該ボードの隣り合う二つの辺部の一方に取り付けられる枠構成体と、当該二つの辺部の他方に取り付けられる枠構成体とを、それらの前記差し入れ孔からそれぞれ軸部を差し入れられる前記皿ビスの当該軸部を前記連結体のねじ孔にねじ込むことにより、この連結体を介して連結し合わせることができる。そして、このように前記ボードの各辺部に取り付けられる枠構成体を隣り合う枠構成体と相互に連結し合わせることにより、当該ボードの全周を巡る枠体を構成させることができ、これによりパネルを構成させることができる。
【００１２】
また、前記連結体に皿ビスの軸部をねじ込み可能な大きさの前記ねじ孔を単純に設けておいた場合であっても、前記溝に当該皿ビスを締め込み切った状態において当該皿ビスの軸部の突き出し基部を収めさせることにより、当該連結体の屈曲外側の面を前記溝の側方にある前記底板部の内面に隙間無く押し付けることができ、かかる連結体と前記枠構成体とをガタつきなく止め合わせることができる。
【００１３】
これにより、この実施の形態にあっては、前記皿ビスを締め込み切った位置において当該皿ビスの軸部の突き出し基部を収める加工を前記連結体のねじ孔側に格別に施す必要が無く、かかる連結体を支障無く細幅に構成することができる。従って、この実施の形態によれば、前記一対の立ち上がり板部間の間隔を狭く構成された枠構成体相互の連結を皿ビスをもって支障無くなすことができ、肉厚の薄いボードに対応した枠体を適切に構成することができる。
【００１４】
【発明の実施の形態】
以下、図１ないし図５に基づいて、この発明の典型的な実施の形態について説明する。
【００１５】
なお、ここで図１は、この実施の形態にかかる枠体１を用いて構成されたパネルＰの構成の概要を理解しやすいように、当該パネルＰを斜視の状態で表して示している。また、図２は、かかるパネルＰにディスプレイ対象物Ｄを貼り込んだ状態を断面にして示している。また、図３は、前記枠体１を構成する隣り合う枠構成体２、２の連結箇所の構成を理解しやすいように、かかる隣り合う枠体１とこれらを連結させる連結体３とを分離して斜視の状態として示している。また、図４は、かかる連結箇所を側方から視た状態で示しており、また、図５は、前記連結体３と枠構成体２との止め付け状態を理解しやすいように当該止め付け部分を断面にして示している。
【００１６】
この実施の形態にかかるパネル用枠体１は、写真やポスターなどのシート状をなすディスプレイ対象物Ｄをディスプレイするために用いられるパネルＰを構成するボードＧの各辺部Ｇａに取り付けられて当該ボードＧと共に当該パネルＰを構成するものである。かかるパネルＰにあっては、典型的には前記ボードＧの一面に前記ディスプレイ対象物Ｄを貼り込むなどして、当該ディスプレイ対象物Ｄが備え付けられるものとされる。
【００１７】
かかる枠体１は、前記ボードＧの各辺部Ｇａに、このボードＧに前記ディスプレイ対象物Ｄを備え付けた後、あるいは、備え付けるに先立って、それぞれ取り付けられる複数の枠構成体２、２…と、このように取り付けられる複数の枠構成体２、２…を隣り合う枠構成体２、２相互を連結し合わせることにより全体として一体の枠体１を構成させるようにする連結体３とから構成されている。
【００１８】
かかる枠構成体２は、それぞれ、前記ボードＧの一辺部Ｇａ、つまり、かかるボードＧの隣り合うコーナＧｂ、Ｇｂ間に亘る長さを備えている。また、かかる枠構成体２はそれぞれ、ボードＧの辺部Ｇａを間に納める間隔を開けて形成された一対の立ち上がり板部２１、２１を底板部２０の一面側に備えた構成としてある。この実施の形態にあっては、かかる枠体１が四角形状に構成されたボードＧと組み合わされて前記パネルＰを構成するものとしてあり、従ってかかる枠体１が当該ボードＧの四つの辺部Ｇａにそれぞれ取り付けられる四つの枠構成体２、２…から構成されたものとしてある。
【００１９】
また、かかる枠構成体２は、前記一対の立ち上がり板部２１、２１間の間隔を前記ボードＧの厚さ寸法とほぼ同じかやや小さくする寸法としてあり、この一対の立ち上がり板部２１、２１間にボードＧの辺部Ｇａを挟み入れることにより当該ボードＧの一つの辺部Ｇａに亘って当該ボードＧを縁取るようにはめ付けられる構成としてある。
【００２０】
また、かかる複数の枠構成体２、２…はそれぞれ、前記ボードＧのコーナＧｂを挟んだ当該ボードＧの隣り合う二辺部Ｇａ、Ｇａにそれぞれ取り付けられる隣り合う枠構成体２、２が当該コーナＧｂにおいて他の枠構成体２の端部との間に隙間を作ることなく接合されるように、その両端部にそれぞれ加工を施された構成としてある。すなわち、この実施の形態にあっては、各枠構成体２、２…はそれぞれ、その端部にある前記底板部２０および一対の立ち上がり板部２１、２１の端面２２を、取り付けられるボードＧのコーナＧｂの頂端からボードＧの中央に向かう仮想の線分に沿うように傾斜させるように形成されており、隣り合う一方の枠構成体２の傾斜した端面２２と隣り合う他方の枠構成体２の傾斜した端面２２とを隙間なく突き合わせた状態でこの双方の枠構成体２が連結させ合わされる構成としてある。
【００２１】
一方、前記連結体３は、前記ボードＧのコーナＧｂの数に応じて用意されるものであって、この実施の形態にあっては四角形状をなすボードＧに対応して、独立した四つの連結体３、３…が使用される。
【００２２】
この実施の形態にあっては、かかる連結体３はそれぞれ、前記コーナＧｂに沿って折り曲げられている板状に構成されている。すなわち、この実施の形態にあっては、かかる連結体３は、前記ボードＧのコーナＧｂにおいて当該ボードＧの端面（ボードＧの厚さ方向にある面）に屈曲内側にある面を沿わせた状態で位置づけることが可能なように、当該ボードＧのコーナＧｂの頂端を屈曲位置として折り曲げられた構成としてある。また、かかる連結体３はそれぞれ、前記枠構成体２の一対の立ち上がり板部２１、２１間に納まる板幅を持つように構成してある。
【００２３】
そして、この実施の形態にあっては、このように構成される連結体３の折り曲げ部３０を挟んだ一方側と他方側とにそれぞれ、皿ビスＢ’の軸部Ｂａがねじ込まれるねじ孔３１が形成されていると共に、前記枠構成体２の端部側にある当該枠構成体２の底板部２０にこの底板部２０の外側から皿ビスＢ’の軸部Ｂａを差し入れることが可能な差し入れ孔２３が形成してある。そして、前記ボードＧのコーナＧｂを挟んで隣り合う当該ボードＧに二つの辺部Ｇａ、Ｇａにそれぞれ取り付けられる前記枠構成体２が他方の枠構成体２の傾斜した端面２２に自らの傾斜した端面２２を突き合わせる位置において、この二つの枠構成体２の一方の底板部２０の内側に前記折り曲げ部３０を挟んだ一方側を位置づけ、かつ、この二つの枠構成体２の他方の底板部２０の内側に当該折り曲げ部３０を挟んだ他方側を位置づけた前記連結体３の前記折り曲げ部３０を挟んだ一方側にあるねじ孔３１に差し入れられる皿ビスＢ’の軸部Ｂａをねじ込むことができるように一方の枠構成体２の差し入れ孔２３が位置づけられ、かつ、 かかる折り曲げ部３０を挟んだ他方側にあるねじ孔３１に差し入れられる皿ビスＢ’の軸部Ｂａをねじ込むことができるように他方の枠構成体２の差し入れ孔２３が位置づけられるように、かかる枠構成体２に当該差し入れ孔２３が形成されている。
【００２４】
この結果、この実施の形態にあっては、前記ボードＧのコーナＧｂを挟んだ当該ボードＧの隣り合う二つの辺部Ｇａの一方に取り付けられる枠構成体２と、当該二つの辺部Ｇａの他方に取り付けられる枠構成体２とを、それらの前記差し入れ孔２３からそれぞれ軸部Ｂａを差し入れられる前記皿ビスＢ’の当該軸部Ｂａを前記連結体３のねじ孔３１にねじ込むことにより、この連結体３を介して連結し合わせることができる。そして、このように前記ボードＧの各辺部Ｇａに取り付けられる枠構成体２を隣り合う枠構成体２、２と相互に連結し合わせることにより、当該ボードＧの全周を巡る枠体１を構成させることができ、これにより前記パネルＰを構成させることができる。
【００２５】
また、この実施の形態にあっては、前記複数の枠構成体２、２…がそれぞれ、前記底板部２０の内面側に当該枠構成体２の長さ方向に沿って形成された溝２４を備えている。そして、前記皿ビスＢ’の軸部Ｂａの差し入れ孔２３がこの溝２４に連通するように形成してある。また、この溝２４を挟んだ両側にあるかかる底板部２０の内面に前記ねじ孔３１に軸部Ｂａをねじ込んだ皿ビスＢ’の締め込みによって前記連結体３の屈曲外側の面が押し付けられ、この押し付け位置において当該連結体３により隣り合う二つの枠構成体２がその傾斜した端面２２同士を隙間無く突き合わせさせる構成としてある。
【００２６】
そして、この実施の形態にあっては、前記差し入れ孔２３を通じて前記底板部２０の外側から前記ねじ孔３１に軸部Ｂａをねじ込まれた皿ビスＢ’の頭部Ｂｂ側面が当該差し入れ孔２３の内面に突き当った当該皿ビスＢ’の締め込み位置において、前記溝２４に当該皿ビスＢ’の軸部Ｂａの突き出し基部Ｂｃが納まる構成としてある。
【００２７】
この結果、この実施の形態にあっては、前記連結体３に皿ビスＢ’の軸部Ｂａをねじ込み可能な大きさの前記ねじ孔３１を単純に設けておいた場合であっても、前記皿ビスＢ’を締め込み切った状態において、当該連結体３の屈曲外側の面を前記溝２４の側方にある前記底板部２０の内面２５に隙間無く押し付けることができ、かかる連結体３と前記枠構成体２とをガタつきなく止め合わせることができる。
【００２８】
すなわち、前記枠構成体２に設けられる前記差し入れ孔２３は、皿ビスＢ’の頭部Ｂｂ側面のテーパに倣ったすり鉢状の孔壁２３ａを備えるように構成され、この差し入れ孔２３の孔壁２３ａに当該頭部Ｂｂ側面が突き当たった位置が皿ビスＢ’を締め込み切った位置となるが、前記溝２４により当該皿ビスＢ’を締め込み切った位置において前記連結体３の屈曲外側にある面に押し当てられる当該溝２４の側方にある前記底板部２０の内面２５から先に当該皿ビスＢ’の軸部Ｂａの突き出し基部Ｂｃ（つまり、当該軸部Ｂａと頭部Ｂｂとの接合部）が突き出されることはなく、前記皿ビスＢ’の締め込みによって両面を常に隙間無く押し付けさせることができる。
【００２９】
これにより、この実施の形態にあっては、前記皿ビスＢ’を締め込み切った位置において当該皿ビスＢ’の軸部Ｂａの突き出し基部Ｂｃを収める加工を前記連結体３のねじ孔３１側に格別に施す必要が無く、かかる連結体３を支障無く細幅に構成することができる。従って、この実施の形態によれば、前記一対の立ち上がり板部２１、２１間の間隔を狭く構成された枠構成体２相互の連結を皿ビスＢ’をもって支障無くなすことができ、肉厚の薄いボードＧに対応した枠体１を適切に構成することができる。
【００３０】
前記枠構成体２に前記溝２４を形成することは、典型的には、この枠構成体２を押し出し成形により形成することにより確保することができる。また、かかる枠構成体２はパネルＰを軽量に構成する観点から、一般的にはアルミニウム又はアルミニウム合金により構成される。
【００３１】
なお、この実施の形態にあっては、前記溝２４は前記差し入れ孔２３との連通側を、この連通側にある差し入れ孔２３の孔径よりもやや広くすると共に、この連通側から溝２４口側に向けて次第に両溝２４壁の間隔を狭めるように両溝２４壁を傾斜させ、溝２４口の幅を前記皿ビスＢ’の軸部Ｂａの径よりもやや広くさせるように形成されている。これにより、この溝２４の両側に前記連結体３の屈曲外側の面が押し当てられる前記底板部２０の内面２５をできる限り広く確保させることが可能となっている。
【００３２】
また、この実施の形態にあっては、前記枠構成体２の一対の立ち上がり板部２１、２１の間に前記ボードＧを入れ込み易くするように、この立ち上がり板部２１の突き出し端部の内側隅部２１ａにアールが付けられている。
【００３３】
【発明の効果】
この発明によれば、パネルを構成するボードの厚さ寸法が小さくなっても、このボードの辺部に沿って当該ボードの辺部を一対の立ち上がり板部間に納めて当該辺部に取り付けられる当該パネルの枠体を構成する隣り合う枠構成体相互を、当該隣り合う枠構成体の端部間に亘る連結体を介して、当該連結体に設けられたねじ孔にねじ付けられる軸部を持ち当該枠構成体に設けた差し入れ孔を通じて当該軸部を当該ねじ孔にねじ付ける皿ビスをもって支障無く連結させ合わせて、当該パネルを構成する枠体を適切に構成することができる。
【図面の簡単な説明】
【図１】枠体１を用いたパネルＰの斜視構成図
【図２】パネルＰの断面構成図
【図３】隣り合う枠構成体２、２の接合箇所を示す分離斜視図
【図４】隣り合う枠構成体２、２の接合箇所を示す側面図
【図５】枠体１の要部断面図
【図６】従来のパネルＰの斜視構成図
【図７】従来のパネルＰの要部分離斜視図
【図８】従来のパネルＰを構成する枠体１００の要部断面図
【図９】図８と異なる従来の枠体１００の要部断面図
【図１０】図９に示される従来例の不都合を示す要部側面図
【図１１】図８および図９と異なる従来の枠体１００の要部断面図
【符号の説明】
Ｐ  パネル
Ｇ  ボード
Ｇａ  辺部
Ｇｂ  コーナ
１  枠体
２  枠構成体
２０  底板部
２１  立ち上がり板部
２３  差し入れ孔
２４  溝
３  連結体
３０  折り曲げ部
３１  ねじ孔
Ｂ’  皿ビス
Ｂａ  軸部
Ｂｂ  頭部
Ｂｃ  突き出し基部
【図１】
0003833040.tif 000002
【図２】
0003833040.tif 000003
【図３】
0003833040.tif 000004
【図４】
0003833040.tif 000005
【図５】
0003833040.tif 000006
【図６】
0003833040.tif 000007
【図７】
0003833040.tif 000008
【図８】
0003833040.tif 000009
【図９】
0003833040.tif 000010
【図１０】
0003833040.tif 000011
【図１１】
0003833040.tif 000012